(57)【要約】  電子部品の固定を確実としつつ装着や交換を簡単に行うため、両側面に係合穴が設けられた電子部品を基板上に装着させる装着部品において、係合穴に対応する位置に通し孔が形成され電子部品の幅方向の装着位置を規制する一対の固定側板と、固定側板を互いに連絡し電子部品装着用の開口を形成する一対の固定アームとを有し基板上に固定される固定枠体と、固定側板それぞれの外側に位置し、通し孔を貫通して、開口に配置された上記電子部品の係合穴に入り込む係合ピンが形成された一対のスライド側板と、スライド側板それぞれの前後端から上記一対の固定アームのそれぞれに沿って延在し操作を受けて上記一対のスライド側板それぞれを上記一対の固定側板から離間させるスライドアームとを有し、固定枠体にスライド自在に支持されたスライド枠体とを備える。
2010041306.tif 000002
【特許請求の範囲】
【請求項１】
基板上に搭載され、平面視で略矩形の板状形を有し両側面に係合穴が設けられた電子部品を該基板上に装着させる装着部品であって、
前記電子部品に設けられた係合穴に対応する位置に通し孔が形成され該電子部品の両側面に接して該電子部品の幅方向の装着位置を規制する一対の固定側板と、該一対の固定側板の前後端それぞれで該一対の固定側板を互いに連絡し、該一対の固定側板とともに前記電子部品装着用の開口を形成する一対の固定アームとを有し、基板上に固定される固定枠体と、
前記一対の固定側板それぞれの外側に位置し、前記通し孔を貫通して、前記開口に配置された前記電子部品の係合穴に入り込む係合ピンが形成された一対のスライド側板と、該一対のスライド側板それぞれの前後端から前記一対の固定アームのそれぞれに沿って、互いのスライド側板に向かって延在し操作を受けて前記一対のスライド側板それぞれを前記一対の固定側板から離間させる、該一対のスライド側板前端と後端のそれぞれについて各一対のスライドアームとを有し、前記固定枠体にスライド自在に支持されたスライド枠体とを備えたことを特徴とする装着部品。
【請求項２】
前記各一対のスライドアームが、前記一対のスライド側板それぞれの前後端から、互いのスライド側板に向かって、前記一対の固定アームのそれぞれに沿って互いの先端部分が重なる位置まで延在し、該一対のスライドアームそれぞれの先端に、互いの間隔を狭める操作を受けることにより前記一対のスライド側板を前記一対の固定側板から離間させるつまみ片を有することを特徴とする請求項１記載の装着部品。
【請求項３】
前記固定枠体が、前記一対のスライド側板それぞれの、前記一対の固定側板それぞれからの、所定間隔を超えた離間を阻止するストッパを有することを特徴とする請求項１または２記載の装着部品。
【請求項４】
平面視で略矩形の板状形を有し両側面に係合穴が設けられた電子部品が着脱自在に装着される電子機器であって、
基板と、
前記基板上に前記電子部品を装着する装着部品とを備え、
前記装着部品が、
前記電子部品に設けられた係合穴に対応する位置に通し孔が形成され該電子部品の両側面に接して該電子部品の幅方向の装着位置を規制する一対の固定側板と、該一対の固定側板の前後端それぞれで該一対の固定側板を互いに連絡し、該一対の固定側板とともに前記電子部品装着用の開口を形成する一対の固定アームとを有し前記基板上に固定される固定枠体と、
前記一対の固定側板それぞれの外側に位置し、前記通し孔を貫通して、前記開口に配置された前記電子部品の係合穴に入り込む係合ピンが形成された一対のスライド側板と、該一対のスライド側板それぞれの前後端から前記一対の固定アームのそれぞれに沿って互いのスライド側板に向かって延在し操作を受けて前記一対のスライド側板それぞれを前記一対の固定側板から離間させる、該一対のスライド側板前端と後端のそれぞれについて各一対のスライドアームとを有し、前記固定枠体にスライド自在に支持されたスライド枠体とを備えたものであることを特徴とする電子機器。
【請求項５】
前記各一対のスライドアームが、前記一対のスライド側板それぞれの前後端から、互いのスライド側板に向かって、前記一対の固定アームのそれぞれに沿って互いの先端部分が重なる位置まで延在し、該一対のスライドアームそれぞれの先端に、互いの間隔を狭める操作を受けることにより前記一対のスライド側板を前記一対の固定側板から離間させるつまみ片を有することを特徴とする請求項４記載の電子機器。
【請求項６】
前記固定枠体が、前記一対のスライド側板それぞれの、前記一対の固定側板それぞれからの所定間隔を超えた離間を阻止するストッパを有することを特徴とする請求項４または５記載の電子機器。
【発明の詳細な説明】
【技術分野】
【０００１】
本発明は、装着部品および電子機器に関する。
【背景技術】
【０００２】
パーソナルコンピュータ（以下、「ＰＣ」と略記する）等の電子機器には、平面視で略矩形の板状形を有し両側面に係合穴が設けられた構造の電子部品、例えばハードディスクドライブ（ＨＤＤ）等が搭載されていることが多い。また、このような電子部品は、基板等への固定を確実としつつ装着や交換を簡単に行うため、装着部品を介して基板に装着されることが多い。ここで、例えばＨＤＤの装着部品として、相対的にスライドする二つの金具でユニットを挟み込み、金具に設けられたピンをＨＤＤの係合穴に挿入する固定用ブラケットが知られている（例えば、特許文献１および特許文献２参照。）。このような固定用ブラケットによれば、ＨＤＤをねじ止めするのではなく、ピンを挿入するので装着や交換が簡単に行える。
【特許文献１】特開２００１−１５６４６６号公報
【特許文献２】特開２００３−１９８１５３号公報
【発明の開示】
【０００３】
しかしながら、上述した固定用ブラケットでは、ＨＤＤがねじ止めされていないため、例えば、金具の固定の緩みによって金具とＨＤＤとの間に隙間が生じると、ＨＤＤが金具の間でがたつくおそれがある。
【０００４】
本件開示の装着部品および電子機器の課題は、上記事情に鑑み、電子部品の固定を確実としつつ装着や交換を簡単に行うことができる装着部品および電子機器を提供することを目的とする。
【０００５】
本件開示の装着部品の基本形態は、基板上に搭載され、平面視で略矩形の板状形を有し両側面に係合穴が設けられた電子部品を該基板上に装着させる装着部品であって、
前記電子部品に設けられた係合穴に対応する位置に通し孔が形成され該電子部品の両側面に接して該電子部品の幅方向の装着位置を規制する一対の固定側板と、該一対の固定側板の前後端それぞれで該一対の固定側板を互いに連絡し、該一対の固定側板とともに前記電子部品装着用の開口を形成する一対の固定アームとを有し、基板上に固定される固定枠体と、
前記一対の固定側板それぞれの外側に位置し、前記通し孔を貫通して、前記開口に配置された前記電子部品の係合穴に入り込む係合ピンが形成された一対のスライド側板と、該一対のスライド側板それぞれの前後端から前記一対の固定アームのそれぞれに沿って、互いのスライド側板に向かって延在し操作を受けて前記一対のスライド側板それぞれを前記一対の固定側板から離間させる、該一対のスライド側板前端と後端のそれぞれについて各一対のスライドアームとを有し、前記固定枠体にスライド自在に支持されたスライド枠体とを備えている。
【０００６】
また、本件開示の電子機器の基本形態は、平面視で略矩形の板状形を有し両側面に係合穴が設けられた電子部品が着脱自在に装着される電子機器であって、
基板と、
前記基板上に前記電子部品を装着する装着部品とを備え、
前記装着部品が、
前記電子部品に設けられた係合穴に対応する位置に通し孔が形成され該電子部品の両側面に接して該電子部品の幅方向の装着位置を規制する一対の固定側板と、該一対の固定側板の前後端それぞれで該一対の固定側板を互いに連絡し、該一対の固定側板とともに前記電子部品装着用の開口を形成する一対の固定アームとを有し前記基板上に固定される固定枠体と、
前記一対の固定側板それぞれの外側に位置し、前記通し孔を貫通して、前記開口に配置された前記電子部品の係合穴に入り込む係合ピンが形成された一対のスライド側板と、該一対のスライド側板それぞれの前後端から前記一対の固定アームのそれぞれに沿って互いのスライド側板に向かって延在し操作を受けて前記一対のスライド側板それぞれを前記一対の固定側板から離間させる、該一対のスライド側板前端と後端のそれぞれについて各一対のスライドアームとを有し、前記固定枠体にスライド自在に支持されたスライド枠体とを備えている。
【０００７】
これらの基本形態によれば、電子部品は固定枠体の固定側板によって幅方向の装着位置が規制され、係合穴に入り込んだピンによって残りの方向への装着位置が規制される。したがって、係合ピンが係合孔に入っていれば、例えばスライド側板の固定が緩んでも電子部品の固定が維持される。また、スライド側板は、係合ピンが係合孔から外れる位置まで離されると電子部品が離脱可能となるため、ねじ止めによる構成と比べ、電子部品の着脱が容易である。
【０００８】
以上説明したように、装着部品および電子機器の上記基本形態によれば電子部品の固定を確実としつつ装着や交換を簡単に行うことができる。
【図面の簡単な説明】
【０００９】
【図１】パーソナルコンピュータ（以下、「ＰＣ」と略記する）の外観斜視図である。
【図２】図１に示すＰＣの背面側を見た外観斜視図である。
【図３】図１，図２に示すＰＣ本体の、背面カバーを取り外してその内部の構成を示した図である。
【図４】メイン基板の一部と単体のハードディスクドライブ（ＨＤＤ）と装着部品とを示す平面図である。
【図５】図４に示す装着部品を示す斜視図である。
【図６】装着部品を基板側から見た背面図である。
【図７】装着部品の分解斜視図である。
【図８】装着部品によるＨＤＤの装着を説明する図である。
【図９】ロック状態の装着部品を示す図である。
【図１０】スライド側板を左右外側から抑えた変形例を示す図である。
【発明を実施するための最良の形態】
【００１０】
以下、本件開示の発明の実施形態について説明する。【００１１】
図１は、パーソナルコンピュータ（以下、「ＰＣ」と略記する）の外観斜視図、図２は、図１に示すＰＣの背面側を見た外観斜視図である。【００１２】
図１、図２に示すＰＣ１０は、表示画面２１ａを有する表示パネル２１を保持したＰＣ本体２０を備えている。このＰＣ本体２０の前面の外形は、表示画面２１ａと、その表示画面２１ａの周りを取り巻く前枠２２とで形成されている。この前枠２２の下部には、シルク印刷によるアイコン２２ａが表示されている。このアイコン２２ａは、電源ボタンを表わしており、このアイコン２２ａに指を重ねると、このＰＣ本体２０に電源が投入される。【００１３】
この図１、図２に示すＰＣ１０は、表示画面２１ａを有する表示パネル２１を保持するＰＣ本体２０の筐体と同じ筐体内の、表示パネル２１の背面側に、ＣＰＵ等からなる演算回路が搭載されている。【００１４】
したがって、ＰＣの通常の構成としては、不図示のキーボードを別途用意することで、ＰＣとしてのひととおりの機能を満足する。【００１５】
また、このＰＣ本体２０の筐体背面は、後カバー２９で覆われている。さらに、このＰＣ本体２０の筐体背面には、電源接続部やコネクタ接続部などが配置されているが、ここでの説明は省略する。【００１６】
さらに、この図１、図２に示すＰＣ１０は、回転台９０と、ＰＣ本体２０の背面を支持する支持機構９１を備えている。回転台９０は、ＰＣ本体２０の表示画面２１ａの向きを変更するための台であり、支持機構９１は、ＰＣ本体２０をユーザの所望の高さ位置に支持するための機構である。【００１７】
図３は、図１，図２に示すＰＣ本体２０の、背面カバーを取り外してその内部の構成を示した図である。【００１８】
この図３には、メイン基板３０、ハードディスクドライブ（ＨＤＤ）ユニット４０、光ディスクユニット５０が示されている。メイン基板３０は、上述のＣＰＵが搭載され、この図３の右側の広い領域を占める。ＨＤＤユニット４０は、メイン基板３０上に置かれる。光ディスクユニット５０は、メイン基板３０とケーブルで結合される。またここには、ファン２７と、放熱フィン２８も示されている。このファン２７は、筐体内の空気を強制的に排気するためのものである。【００１９】
図４は、メイン基板の一部と単体のハードディスクドライブ（ＨＤＤ）と装着部品とを示す平面図である。図４には、ＨＤＤ４１がメイン基板３０から取り外された状態が示されている。【００２０】
ＨＤＤユニット４０（図３参照）は、ＨＤＤ４１と装着部品４２とを有している。ここで、ＨＤＤ４１は上記基本形態で説明した電子部品の一例に相当する。【００２１】
ＨＤＤ４１は、平面視で略矩形の板形状を有しており、その両側面に２つずつ係合穴４１２が形成されている。また、ＨＤＤ４１には、ＨＤＤコネクタ４１１が配備されている。【００２２】
ここで、ＨＤＤ４１におけるＨＤＤコネクタ４１１が配備された側を前Ｆ、その反対を後Ｂとし、係合穴４１２が形成されている側面側をそれぞれ右Ｒおよび左Ｌとする。また、メイン基板３０および装着部品４２における前後左右の向きも、装着されたＨＤＤ４１の向きに合わせて説明する。なお、左右方向ＬＲを幅方向ＬＲとも称する。【００２３】
ＨＤＤコネクタ４１１は、ＨＤＤ４１の前端面に配置されており、ＨＤＤ４１の、ＨＤＤコネクタ４１１が配置された前端面を先端にして進行させたときに相手コネクタとしての基板コネクタ３１と組み合う。【００２４】
装着部品４２は、ＨＤＤ４１をメイン基板３０に装着する部品であり、メイン基板３０にねじ４９で固定されている。より詳細には、装着部品４２は、メイン基板３０上に固定される固定枠体４３と、固定枠体４３にスライド自在に支持されたスライド枠体４４とを有している。固定枠体４３は略矩形の枠状であり、この枠内に形成された開口４２ａにＨＤＤ４１が収容される。【００２５】
図５は、図４に示す装着部品を示す斜視図であり、図６は、装着部品を基板側から見た背面図である。また図７は装着部品の分解斜視図である。【００２６】
装着部品４２は、ＨＤＤ４１を固定するロック状態と、ＨＤＤ４１が取り付けおよび取り外し自在となる開放状態とを有している。図４、図５、および図６にはいずれも開放状態の装着部品４２が示されている。【００２７】
装着部品４２は図７によりよく示すように、固定枠体４３とスライド枠体４４とを有しており、スライド枠体４４は第１枠部材４５と第２枠部材４６とを有している。固定枠体４３、第１枠部材４５、および第２枠部材４６はいずれも金属板を打ち抜き加工、折り曲げ加工、および接着加工することによって形成されている。なお、図６では、各部材の配置を見やすくするため、第２枠部材４６にハッチングを施して示している。【００２８】
固定枠体４３は、ＨＤＤ４１の側面に接する一対の固定側板４３１，４３２と、固定側板４３１，４３２の前後端それぞれで固定側板４３１，４３２を互いに連絡する一対の固定アーム４３３，４３４を備えている。固定アーム４３３，４３４は固定側板４３１，４３２とともにＨＤＤ装着用の開口４２ａを形成している。一対の固定側板４３１，４３２は、ＨＤＤ４１の幅すなわち左右方向ＬＲの長さと略等しい間隔で互いに略平行に配置されている。開口４２ａにＨＤＤ４１が収容されると、固定側板４３１，４３２はＨＤＤ４１の側面に接し、ＨＤＤ４１の幅方向ＬＲにおける装着位置を規制する。ただし、固定枠体４３は、開口４２ａに収容されたＨＤＤ４１が前後方向ＦＢにスライドする余裕を有して形成されている。一対の固定側板４３１，４３２のそれぞれには、ＨＤＤ４１に設けられた係合穴４１２に対応する位置に通し孔４３１ａ，４３２ａが２つずつ形成されている。また、固定アーム４３３，４３４および固定側板４３１のそれぞれの下部には、固定脚部４３３ｂ，４３４ｂ，４３１ｂが形成されている。固定脚部４３３ｂ，４３４ｂ，４３１ｂがメイン基板３０にねじ止めされることによって、固定枠体４３がメイン基板３０に固定される。また、固定側板４３１，４３２には、４つの通し孔４３１ａ，４３２ａそれぞれの下方に、メイン基板３０に接触してＨＤＤ４１の荷重を支持する支持脚４３１ｃ，４３２ｃが形成されている。【００２９】
また、固定枠体４３には、スライド枠体４４のスライド距離を制限する２つの第１のストッパ４３２ｄと１つの第２のストッパ４３３ｄとが設けられている。これらストッパの機能の詳細については後述する。【００３０】
スライド枠体４４は、一対のスライド側板４５１，４６１と、スライドアーム４５２，４５３と、他方のスライド側板４６１前後端それぞれから固定アーム４３３，４３４のそれぞれに沿って延在するスライドアーム４６２，４６３とを有している。一対のスライド側板４５１，４６１は、固定側板４３１，４３２の外側に位置する。スライドアーム４５２，４５３は、一方のスライド側板４５１前後端それぞれから固定アーム４３３，４３４のそれぞれに沿って延在する。スライドアーム４６２，４６３は、他方のスライド側板４６１前後端それぞれから固定アーム４３３，４３４のそれぞれに沿って延在する。図５および図６によりよく示すように、前方Ｆに配置されたスライドアーム４５３，４６３は、互いの先端部分が重なる位置まで互いのスライド側板４６１，４５１に向かって延在している。また、後方Ｂに配置されたスライドアーム４５２，４６２も、互いの先端部分が重なる位置まで相手のスライド側板４６１，４５１に向かって延在している。さらに、スライドアーム４５２，４５３，４６２，４６３それぞれの先端には、この装着部品４２の外向きに折れ曲がり、前後方向に延びたつまみ片４５２ａ，４５３ａ，４６２ａ，４６３ａが設けられている。【００３１】
図７によりよく示すように、スライド側板４５１，４６１のそれぞれには２つずつ合計４つの係合ピン４７が設けられている。係合ピン４７は、スライド側板４５１，４６１が図６に示す開放状態から互いに近づく向きに移動した場合に、通し孔４３１ａ，４３２ａを貫通してＨＤＤ４１の係合穴４１２に入り込む位置に配置されている。【００３２】
また、２つの枠部材４５，４６のうち、第２枠部材４６を構成するスライドアーム４６２，４６３それぞれの先端付近の下部には相手側のスライドアーム４６３，４６２に向かって突出した突出片４６ｂが形成されている。スライドアーム４６２，４６３のそれぞれは突出片４６ｂが設けられた部分でＵ字状断面を有している。第２枠部材４６は、このＵ字状断面の部分で、固定アーム４３３，４３４を抱え込むようにして固定枠体４３に取り付けられる。また、第２枠部材４６が固定枠体４３に取り付けられた状態では、スライド側板４６１に設けられた係合ピン４７の先端が、固定側板４３１の通し孔４３１ａに入り込んでいる。これによって、第２枠部材４６が固定枠体４３に幅方向ＬＲにスライド自在に支持される。【００３３】
他方の第１枠部材４５を構成するスライド側板４５１の両端付近の下部には、スライドアーム４５２，４５３が延びるのと同じ向きに突出した突出片４５１ｂが形成されている。突出片４５１ｂには長孔が形成されている。スライド側板４５１は突出片４５１ｂが形成された両端付近でＵ字状断面を有している。第１枠部材４５は、このＵ字状断面の部分で、固定アーム４３３，４３４を抱え込むようにして固定枠体４３に取り付けられる。また、第１枠部材４５が固定枠体４３に取り付けられた状態では、スライド側板４５１に設けられた係合ピン４７の先端が、固定側板４３２の通し孔４３２ａに入り込んでいる。これによって、第１枠部材４５が固定枠体４３に幅方向ＬＲにスライド自在に支持される。【００３４】
固定枠体４３に設けられた第１のストッパ４３２ｄは、突出片４５１ｂに引っかかることによって、スライド側板４５１の固定側板４３２からの所定間隔を超えた離間を阻止する。また、２つの第２のストッパ４３３ｄのうち後方の第２のストッパ４３３ｄは、他方のスライド側板４６１に形成された突出片４６ｂに引っかかり、前方の第２のストッパ４３３ｄは、固定脚部４３４ｂに引っかかる。これによって、スライド側板４６１の固定側板４３１からの所定間隔を超えた離間が阻止される。このようにして、スライド枠体４４を構成する２つのスライド側板４５１，４６１それぞれのスライド距離が制限される。所定間隔は、本実施形態では、係合ピン４７の長さと略等しい長さに設定されている。【００３５】
また、固定枠体４３、第１枠部材４５、および第２枠部材４６には、互いをねじ止め固定するためのねじ孔４３ｈ、４５ｈ、４６ｈがそれぞれ形成されている。【００３６】
図８および図９は、装着部品によるＨＤＤの装着を説明する図である。図８には開放状態の装着部品４２が示されており、図９にはロック状態の装着部品４２が示されている。【００３７】
装着部品４２は、図８に示す開放状態では、スライド側板４５１，４６１が固定側板４３２，４３１からそれぞれ離間している。そして、スライド側板４５１，４６１に設けられた係合ピン４７は、固定側板４３１，４３２よりも外側に退避しており、開口４２ａ内に突出していない。このため、開放状態では、ＨＤＤ４１が装着部品４２の開口４２ａに対し挿入および取り外し自在となる。ただし、ＨＤＤ４１が装着部品４２の開口４２ａに対し挿入された状態では、固定側板４３１，４３２がＨＤＤ４１の両側面に接してＨＤＤ４１の幅方向ＬＲの装着位置を規制している。前後方向ＦＢについては、ＨＤＤ４１がスライドする余裕がある。【００３８】
装着部品４２が取り付けられたメイン基板３０には、ＣＰＵを始めとする多数の電子部品が搭載されている。これらの電子部品の一つとして、メイン基板３０上には、ＨＤＤコネクタ４１１と組み合う基板コネクタ３１が搭載されている。この基板コネクタ３１は、装着部品４２により形成されている開口４２ａの前端に位置し、ＨＤＤコネクタ４１１と組み合う嵌合面３１１を横向きにして、その嵌合面３１１をその開口４３ａの後端側に向けた状態にある。【００３９】
ＨＤＤ４１が、固定側板４３１，４３２に案内されて前方Ｆにスライドすると、ＨＤＤコネクタ４１１がメイン基板３０上に固定されている基板コネクタ３１に組み合う。ＨＤＤ４１は固定側板４３１，４３２に案内されてスライドされることから、ＨＤＤコネクタ４１１と基板コネクタ３１は互いに位置決めされた状態で向き合い、確実に組み合わされる。【００４０】
ＨＤＤコネクタ４１１が基板コネクタ３１に組み合う位置にスライドされた状態で、ＨＤＤ４１の係合穴４１２が、固定側板４３１，４３２に形成された通し孔４３１ａ，４３２ａの位置に合わさる。【００４１】
ＨＤＤコネクタ４１１が基板コネクタ３１に組み合う位置にスライドされた状態で、スライド側板４５１，４６１が操作によって互いに近づく向きに移動すると、スライド側板４５１，４６１は、図９に示すように、移動して固定側板４３２，４３１にそれぞれ接触する。この結果、スライド側板４５１に設けられた係合ピン４７が、通し孔４３１ａ，４３２ａを貫通してＨＤＤ４１の係合穴４１２に入り込み、装着部品４２は図９に示すロック状態となる。ロック状態では、ＨＤＤ４１がメイン基板３０に完全に固定される。【００４２】
また、ロック状態では、スライド枠体４４のスライドアーム４５２，４５３，４６２，４６３と固定枠体４３の固定アーム４３３，４３４のそれぞれに形成されたねじ孔４３ｈ、４５ｈ、４６ｈが重なる。スライド枠体４４はねじ４８により固定枠体４３にねじ止めされることによって、スライド枠体４４が不用意に移動して開放状態になることが防止される。【００４３】
図９に示す状態からＨＤＤ４１を取り外すためには、まず、ねじ４８をはずす。その後に、一方の手指で前方に配置されたつまみ片４５２ａ，４６２ａをつまみ、他方の手指で後方に配置されたつまみ片４５３ａ，４６３ａをつまみ、つまみ片４５２ａ，４６２ａの互いの間隔を狭める。前方のつまみ片４５２ａ，４６２ａおよび後方のつまみ片４５３ａ，４６３ａは、互いの間隔を狭める操作を受けることにより、一対のスライド側板４５１，４６１を固定側板４３２，４３１から離間させる。この結果、装着部品４２は図８に示す開放状態になる。【００４４】
スライド側板４５１，４６１が開放状態に向けて移動すると、図６に示したように、固定枠体４３に設けられた第１のストッパ４３２ｄは一方のスライド側板４５１に形成された突出片４５１ｂに引っかかる。これにより、スライド側板４５１の離間が係合ピン４７の長さと略等しい距離で阻止される。第２のストッパ４３３ｄは他方のスライド側板４６１に形成された突出片４６ｂおよび固定脚部４３４ｂに引っかかる。これにより、スライド側板４６１の離間が係合ピン４７の長さと略等しい距離で阻止される。スライド側板４５１，４６１それぞれの離間距離が制限されるので、スライド側板４５１，４６１の双方ともがつまみ片４５２ａ，４６２ａ，４５３ａ，４６３ａの操作によって固定側板４３２，４３１から離間する。また、装着部品４２は、つまみ片４５２ａ，４６２ａ，４５３ａ，４６３ａをつまむ簡単な操作で、ロック状態から開放状態に移る。【００４５】
開放状態で、ＨＤＤ４１が後方にスライドすると、図８に示すようにＨＤＤコネクタ４１１が基板コネクタ３１から外れ、ＨＤＤ４１が装着部品４２の開口４２ａから取り出し可能となる。【００４６】
なお、上記実施形態では、スライド枠体４４がねじ４８により固定枠体４３にねじ止めされる例を説明したが、スライド枠体４４が開放状態にならないようにする手段として、ねじ４８の代わりにピンやワイヤを挿入してもよい。この場合、次に説明する理由で、ピンの径がねじ孔の径よりも小さくてもよい。【００４７】
ロック状態において、ＨＤＤ４１は、係合ピン４７によって前後方向ＦＢおよび上下方向の位置が規制され、固定枠体４３の固定側板４３１，４３２によって幅方向ＬＲの位置が規制されている。したがって、スライド側板４５１，４６１が固定側板４３１，４３２から離間しても、係合ピン４７がＨＤＤ４１から外れる程に離間しなければ、ＨＤＤ４１の前後方向ＦＢおよび上下方向の位置は係合ピン４７によって固定され、幅方向ＬＲの位置は、固定側板４３１，４３２によって固定される。つまり、スライド側板４５１，４６１が固定側板４３１，４３２から離間しても、ＨＤＤ４１は確実に保持される。【００４８】
したがって、ねじ孔４３ｈ、４５ｈ、４６ｈに、ねじ４８よりも径の細いピンやワイヤを挿入してもよい。【００４９】
さらに、ロック状態でスライド枠体４４を留めるには、ねじ止めやピン止めによる方法以外にも、例えば、スライド枠体４４のスライド側板４５１，４６１を左右外側から押さえる方法も採用可能である。【００５０】
図１０は、スライド側板を左右外側から押さえた、上記実施形態の変形例を示す図である。【００５１】
この変形例のＰＣでは、ＰＣ本体の後カバー２９（図２参照）に、装着部品４２を左右方向に挟む位置に１対の抑え突起２９１が設けられている。この変形例では、スライド側板４５１，４６１を固定側板４３１，４３２に接触させて、装着部品４２をロック状態とした後、後カバー２９をＰＣ本体２０に取り付ける。この状態で、後カバー２９に設けられた抑え突起２９１は、スライド側板４５１，４６１が開放状態となる程度に固定側板４３１，４３２から離間することを抑える。したがって、ねじ止めによらずに開放状態となることが防止される。ここで、スライド側板４５１，４６１は開放状態とならない程度に固定側板４３１，４３２から離間してもＨＤＤ４１の固定は維持されるので、抑え突起２９１の位置精度や後カバー２９の取付精度が低下しても対応可能である。【００５２】
なお、具体的な各実施形態に対する上記説明では、「発明の開示」で説明した基本形態における電子部品の一例としてＨＤＤが示されているが、この電子部品は、ＨＤＤ以外にも、光ディスクやフレキシブルディスクのドライブであってもよく、あるいは電子回路モジュールであってもよい。【００５３】
また、具体的な各実施形態に対する上記説明では、「発明の開示」で説明した基本形態における電子機器の一例としてＰＣが示されている。しかし、この電子機器は、ＰＣ以外にも、ディスクドライブまたは電子回路モジュールを有する事務用機器であってもよく、あるいはビデオレコーダといった家電機器であってもよい。
【図１】
2010041306.tif 000003
【図２】
2010041306.tif 000004
【図３】
2010041306.tif 000005
【図４】
2010041306.tif 000006
【図５】
2010041306.tif 000007
【図６】
2010041306.tif 000008
【図７】
2010041306.tif 000009
【図８】
2010041306.tif 000010
【図９】
2010041306.tif 000011
【図１０】
2010041306.tif 000012
【国際調査報告】
2010041306.tif 000013
2010041306.tif 000014